(57)【特許請求の範囲】
【請求項１】
画像を表示するディスプレイ、並びに、前記ディスプレイにおける使用者の接触位置を検出する接触センサを有するタッチパネルと、
１個の外部装置と通信を行うことができる通信部と、
前記接触センサの出力に応じた前記通信部の制御、並びに、前記ディスプレイの制御を行う制御部と、
自身の位置情報として前記外部装置からの距離を取得する位置情報取得部とを備え、
前記制御部は、複数個の選択肢のいずれかを使用者に選択させる状態では、選択肢に一対一に対応する複数個のボタンを前記ディスプレイに表示させるとともに、該複数個のボタンのいずれかに使用者が接触したことが前記接触センサによって検出されると、接触が検出されたボタンに応じた前記制御を行うものであって、前記位置情報取得部によって取得された距離に応じて前記複数個のボタンの表示態様を変更することを特徴とする入力装置。
【発明の詳細な説明】
【技術分野】
【０００１】
本発明は、入力装置に関するものである。
【背景技術】
【０００２】
従来から、タッチパネルを用いた入力装置が、例えばインターホンシステムの親機等に用いられている（例えば、特許文献１参照）。
【０００３】
タッチパネルは、画像を表示する表示手段と、使用者による操作入力を受け付ける入力手段とが一体化されたものである。上記のようなタッチパネルを用いると、表示手段と入力手段とが別途に設けられる場合に比べ、表示手段の面積の割に小型化が可能となる。
【先行技術文献】
【特許文献】
【０００４】
【特許文献１】特開平６−３３９１４４号公報
【発明の概要】
【発明が解決しようとする課題】
【０００５】
上記のような入力装置として、タッチパネルの画像においてボタンが表示され、この画像上のボタンに使用者が接触することによって操作入力が受け付けられるものがある。この種の入力装置では、ボタンがどのように表示されるかによって操作性が変化する。
【０００６】
本発明は、上記事由に鑑みて為されたものであり、その目的は、操作性の向上が可能な入力装置を提供することにある。
【課題を解決するための手段】
【０００７】
本発明は、画像を表示するディスプレイ、並びに、前記ディスプレイにおける使用者の接触位置を検出する接触センサを有するタッチパネルと、１個の外部装置と通信を行うことができる通信部と、前記接触センサの出力に応じた前記通信部の制御、並びに、前記ディスプレイの制御を行う制御部と、自身の位置情報として前記外部装置からの距離を取得する位置情報取得部とを備え、前記制御部は、複数個の選択肢のいずれかを使用者に選択させる状態では、選択肢に一対一に対応する複数個のボタンを前記ディスプレイに表示させるとともに、該複数個のボタンのいずれかに使用者が接触したことが前記接触センサによって検出されると、接触が検出されたボタンに応じた前記制御を行うものであって、前記位置情報取得部によって取得された距離に応じて前記複数個のボタンの表示態様を変更することを特徴とする。
【発明の効果】
【０００９】
本発明によれば、位置情報取得部によって取得された位置情報に応じて複数個のボタンの表示態様が変更されることで、操作性の向上が可能である。
【図面の簡単な説明】
【００１０】
【図１】（ａ）（ｂ）はそれぞれ本実施形態のタッチパネルに表示される画像の例を示す説明図であり、（ａ）は副親機と親機との距離が切替距離未満である場合の画像を示し、（ｂ）は副親機と親機との距離が切替距離以上である場合の画像を示す。
【図２】本実施形態を用いたインターホンシステムの概略構成を示す説明図である。
【図３】同上を示すブロック図である。
【発明を実施するための形態】
【００１１】
以下、本発明を実施するための最良の形態について、図面を参照しながら説明する。
【００１２】
図２に示すように、本実施形態の入力装置を搭載した副親機１は、外部装置としての親機２との間で無線通信が可能なものである。
【００１３】
上記の副親機１と親機２とは、子器３と、電気錠４とともに、周知のインターホンシステムを構成する。子器３は信号線ＳＬを介して親機２に接続され親機２との間で通話可能なものである。また、子器３にはカメラ（図示せず）を有してこのカメラによる撮像で得られた画像信号を親機２に送信可能となっている。さらに、電気錠４は、例えば玄関の扉（図示せず）等に設けられ、親機２から信号線ＳＬを介して電気信号として送信される制御信号によって制御（解錠及び施錠）されるものである。上記のような親機２と子器３と電気錠４とはそれぞれ周知技術で実現可能であるので、詳細な図示並びに説明は省略する。
【００１４】
詳しく説明すると、副親機１は、タッチパネル１１と、通信部１２と、通話部１３と、制御部１４と、位置情報取得部１５とを備える。
【００１５】
タッチパネル１１は、画像を表示するディスプレイ１１ａとディスプレイ１１ａにおいて使用者が接触した位置を検出する接触センサ１１ｂとが一体化されたものである。タッチパネル１１のディスプレイ１１ａとしては例えば液晶パネルを用いることができる。また、タッチパネル１１の接触センサ１１ｂは、例えば抵抗膜方式や光学方式や超音波方式といった周知の方式で実現することができる。
【００１６】
通信部１２は、電波を媒体とするワイヤレス信号を親機２との間で送受信するものである。このような通信部１２は周知技術で実現可能であるので詳細な図示並びに説明は省略する。
【００１７】
通話部１３は、親機２との通話に用いられるものである。具体的には、通話部１３は、音声を電気信号である音声信号に変換する周知のマイクロホン（図示せず）と、入力された音声信号を音声に変換する周知のスピーカー（図示せず）と、マイクロホンが出力した音声信号（以下、「送話信号」と呼ぶ。）を増幅して通信部１２に入力する送話状態と通信部１２から入力され増幅された音声信号（以下、「受話信号」と呼ぶ。）をスピーカーに入力する受話状態との一方に択一的に切り替わる周知の音声スイッチ（図示せず）とを備える。音声スイッチは、制御部１４の制御によって開始される通話状態では、送話信号の強度と受話信号の強度とを比較し、送話信号の強度の方が受話信号の強度よりも高い場合には送話状態に切り替わり、受話信号の強度の方が送話信号の強度よりも高い場合には受話状態に切り替わるという比較動作を随時行う。上記のような通話部１３は周知技術で実現可能であるので、詳細な図示並びに説明は省略する。
【００１８】
制御部１４は、タッチパネル１１のディスプレイ１１ａと通信部１２と通話部１３とをそれぞれ制御するものである。このような制御部１４は、周知のマイクロコントローラを用いて実現可能である。
【００１９】
位置情報取得部１５は、位置情報として親機２との間の距離を、例えば親機２から受信されるワイヤレス信号の強度に基いて取得するものである。このような位置情報取得部１５は周知技術で実現可能であるので、詳細な図示並びに説明は省略する。
【００２０】
また、親機２と子器３とは、それぞれ、副親機１と同様の通話部（図示せず）を備える。
【００２１】
以下、制御部１４の動作を説明する。
【００２２】
後述するモニタ動作や通話動作や電気錠表示動作が行われていない状態（以下、「待機状態」と呼ぶ。）では、制御部１４は、図１（ａ）（ｂ）に示すように、３個のボタン６１〜６３を表示するように、ディスプレイ１１ａを制御する。そして、使用者が上記のボタン６１〜６３のいずれかの領域に接触したことが接触センサ１１ｂに検出されると、制御部１４は、接触が検出されたボタン６１〜６３に応じた動作を行う。
【００２３】
すなわち、子器３に対応するボタン（以下、「カメラボタン」と呼ぶ。）６１の領域での接触が接触センサ１１ｂにおいて検出された場合、制御部１４は、子器３に設けられたカメラでの撮像により得られた画像信号の送信の開始を要求する制御信号を親機２に送信するように通信部１２を制御するとともに、該制御信号に応答して親機２から送信された画像信号を画像として再生するようにディスプレイ１１ａを制御するというモニタ動作を行う。また、制御部１４は、モニタ動作中には、上記の画像上に、モニタ動作の終了を指示するボタンを表示させ、モニタ動作中に該ボタンへの接触が検出された場合、画像信号の送信の停止を要求する制御信号を親機２に送信するように通信部１２を制御するとともに、モニタ動作を終了して待機状態に復帰する。なお、カメラを有する子器３が複数台接続されている場合、通信部１２の制御の前に、子器３の選択を受け付ける動作を挟むとともに、選択された子器３との間で制御信号及び画像信号の送受信が行われるようにすることで、上記のモニタ動作に用いる子器３を選択可能としてもよい。
【００２４】
また、親機２に対応するボタン（以下、「室内呼ボタン」と呼ぶ。）６２の領域での接触が接触センサ１１ｂにおいて検出された場合、制御部１４は、親機２との間での通信部１２を介した適宜の信号の送受信の後、親機２との間での通話が可能な通話状態とするように通信部１２と通話部１３とをそれぞれ制御するという通話動作を開始する。また、制御部１４は、通話動作中には、通話動作の終了を指示するボタンを表示させるようにディスプレイ１１ａを制御し、通話動作中に該ボタンへの接触が検出された場合、通話動作を終了して待機状態に復帰する。なお、上記の通話動作の対象として親機１に接続された子器３等の装置も選択可能とする場合には、通信部１２の制御の前に、通話動作の対象の選択を受け付ける動作を挟むとともに、選択された対象との間で通話状態が開始されるようにすることで、通話動作の対象を選択可能としてもよい。
【００２５】
さらに、電気錠４に対応するボタン（以下、「電気錠ボタン」と呼ぶ。）６３の領域での接触が接触センサ１１ｂにおいて検出された場合、制御部１４は、通信部１２と親機２と信号線ＳＬとを介した電気錠４との通信により、電気錠４が解錠・施錠のいずれの状態であるかの情報を取得し、取得された情報を表示するようにディスプレイ１１ａを制御するという電気錠表示動作を開始する。また、制御部１４は、電気錠表示動作の終了を指示するボタンを表示させるようにディスプレイ１１ａを制御し、電気錠表示動作中に該ボタンへの接触が検出された場合、電気錠表示動作を終了して待機状態に復帰する。さらに、取得された情報を表示する画像上で、電気錠４の解錠・施錠の切り替えの操作が受け付けられるようにしてもよい。
【００２６】
ここで、制御部１４は、位置情報取得部１５で取得された位置情報に応じて、同時に表示される複数個のボタン６１〜６３の表示の態様を変化させる。
【００２７】
具体的には、制御部１４は、待機状態を開始する際、位置情報取得部１５で取得された位置情報としての親機２との距離を所定の切替距離と比較する。
【００２８】
そして、親機２との距離が切替距離未満であった場合、親機２との通話が開始される可能性は低く、従って室内呼ボタン６２が操作される可能性は低いので、残り２個のボタン６１，６３のうち比較的に操作される可能性が高いと予想されるカメラボタン６１を他の２個のボタン６２，６３よりも大きく表示する。
【００２９】
また、親機２との距離が切替距離以上であった場合、操作される可能性が最も高いと予想される室内呼ボタン６２を他の２個のボタン６１，６３よりも大きく表示する。
【００３０】
上記構成によれば、位置情報取得部１５で取得された位置情報に基いて、選択される可能性が最も高いと予想されるボタン６１〜６３の面積を他のボタン６１〜６３の面積よりも大きくして接触しやすくすることで、操作性の向上が可能である。
【符号の説明】
【００３１】
１  副親機（入力装置を含む）
２  親機（外部装置）
４  電気錠
１１  タッチパネル
１１ａ  ディスプレイ
１１ｂ  接触センサ
１２  通信部
１３  通話部
１４  制御部
１５  位置情報取得部
６１〜６３  ボタン
【図１】
0005444041.tif 000002
【図２】
0005444041.tif 000003
【図３】
0005444041.tif 000004